(57)【要約】【課題】  掃き掃除等の清掃過程で金属と他のごみを分別する清掃具を提供する。【解決手段】  清掃部材若しくは清掃部材保持具が磁石を備えていることを特徴とするごみに含まれる磁性材料の分別機能を有する清掃具にあり、掃き掃除又は拭き掃除の過程で、磁性を有する金属質の材料を他の有機質の材料と簡単に且つ短時間に分別されることとなり、分別の労をなくすことができる。【選択図】図１
2007181502.tif 000002
【特許請求の範囲】
【請求項１】
清掃部材若しくは清掃部材保持具が磁石を備えていることを特徴とするごみに含まれる磁性材料の分別機能を有する清掃具。
【請求項２】
清掃部材と該清掃部材を保持する清掃部材保持具と、清掃部材保持具に連結する柄とを備える清掃具において、清掃部材若しくは清掃部材保持具が磁石を備えていることを特徴とするごみに含まれる磁性材料の分別機能を有する清掃具。
【請求項３】
清掃部材が、ブラシであることを特徴とする請求項１又は２に記載のごみに含まれる磁性材料の分別機能を有する清掃具。
【請求項４】
清掃部材が、ゴム製、スポンジ製又は布製の払拭掃除具であることを特徴とする請求項１乃至３の何れか一項に記載のごみに含まれる磁性材料の分別機能を有する清掃具。
【請求項６】
清掃部材保持具が、透磁性材料製のものであることを特徴とする請求項１又は２に記載のごみに含まれる磁性材料の分別機能を有する清掃具。
【請求項７】
ブラシの毛が磁石粒子を含有して形成されていることを特徴とする請求項３に記載のごみに含まれる磁性材料の分別機能を有する清掃具。
【請求項８】
ブラシと、該ブラシを保持するブラシ保持具とを備える清掃具において、透磁性のブラシ保持具に磁石が保持されていることを特徴とするごみに含まれる磁性材料の分別機能を有する清掃具。
【請求項９】
ブラシと、該ブラシを保持するブラシ保持具と、ブラシ保持具に連結する柄とを備える清掃具において、透磁性のブラシ保持具に磁石が設けられていることを特徴とするごみに含まれる磁性材料の分別機能を有する清掃具。
【請求項１０】
磁石がブラシに囲まれてブラシ保持具に設けられていることを特徴とする請求項１、２、８又は９に記載のごみに含まれる磁性材料の分別機能を有する清掃具。
【請求項１１】
磁石が透磁性のブラシ保持具の側部に設けられていることを特徴とする請求項１、２、８又は９に記載のごみに含まれる磁性材料の分別機能を有する清掃具。
【請求項１２】
磁石は、掃除される面から１乃至５０ｍｍ離れて設けられることを特徴とする請求項１、２、８又は９に記載のごみに含まれる磁性材料の分別機能を有する清掃具。
【発明の詳細な説明】
【技術分野】
【０００１】  本発明は、ごみに含まれる磁性材料を掃き掃除の過程で分別できる分別機能を有する清掃具掃き掃除又は払掃掃除用の清掃具に関し、特に、家屋の内外や道路の磁性材料を含むごみを、ごみを収集する掃き掃除又は払掃掃除の過程で、磁性材料を他のごみと分別する掃き掃除用及び／又は払掃掃除用の清掃具に関する。また、本発明は、掃き除き用又は拭き除き用の箒に関し、特に、工場、事務所その他家屋の内外において、例えば、床、階段や道路等において、清掃されるごみに含まれる磁性材料を、他のごみと、掃き掃除の過程で分別できる分別機能を有する掃き除き用又は拭き除き用の箒に関する。
【背景技術】
【０００２】  工場、事務所その他家屋の内外において、ごみを掃き除いたり、又は、拭き除いたりして、工場、事務所その他家屋の内外を清浄にするために、広く、各種箒やモップや柄の付いた雑巾が使用されている。
【特許文献１】  特開２００２−２３３４８９号公報
【発明の開示】
【発明が解決しようとする課題】
【０００３】  例えば、箒は、箒穂又はブラシと、この箒穂又はブラシを固定保持する箒穂又はブラシの固定部と、この固定部に取付けた柄とで構成されている。このような箒は、例えば、人手により掃いてごみを掃き集めるが、金属のごみも一緒に掃き集められる。金属と他の主として有機質のごみは物理的乃至機械的性質が相違し、ごみ処理上の扱いが相違するために、掃き集められたごみは、処理する過程で分別しなければならない。この分別処理には、多くの人手や時間を要して問題である。
本発明は、このような掃き集められたごみの分別に係る問題点を解決することを目的としている。
【課題を解決するための手段】
【０００４】本発明者は、清掃具に磁石を取付けるという、清掃具に構造上の簡単な改良を加えることにより、清掃過程で金属を容易に分別できることを発見した。本発明は、これらの発見に基づくものである
本発明者は、掃き掃除等の清掃過程で金属と他のごみを分別する清掃具を提供することを目的としている。
即ち、本発明は、清掃部材若しくは清掃部材保持具が磁石を備えていることを特徴とするごみに含まれる磁性材料の分別機能を有する清掃具にあり、また、本発明は、清掃部材と該清掃部材を保持する清掃部材保持具と、清掃部材保持具に連結する柄とを備える清掃具において、清掃部材若しくは清掃部材保持具が磁石を備えていることを特徴とするごみに含まれる磁性材料の分別機能を有する清掃具にあり、さらに、本発明は、ブラシと、該ブラシを保持するブラシ保持具とを備える清掃具において、透磁性のブラシ保持具に磁石が保持されていることを特徴とするごみに含まれる磁性材料の分別機能を有する清掃具にあり、さらにまたは、ブラシと、該ブラシを保持するブラシ保持具と、ブラシ保持具に連結する柄とを備える清掃具において、透磁性のブラシ保持具に磁石が設けられていることを特徴とするごみに含まれる磁性材料の分別機能を有する清掃具にある。本発明において、磁性材料の分別機能を有する清掃具における清掃部材は、ブラシ又は、ゴム製、スポンジ製又は布製の払拭掃除具とすることができる。また、本発明の磁性材料の分別機能を有する清掃具において、清掃部材保持具を、透磁性材料製のものとすることができる。さらに、本発明の磁性材料の分別機能を有する清掃具において、ブラシの毛の少なくとも一部を磁石粒子を含有して形成することができる。さらにまた、本発明において、磁石は、保持具にブラシに囲まれてブラシ保持具に設けることができ、又は、透磁性のブラシ保持具の側部に設けることができる。
【発明の効果】
【０００５】  本発明は、清掃部材と該清掃部材を保持する清掃部材保持具と、清掃部材保持具に連結する柄とを備える清掃具において、清掃部材若しくは清掃部材保持具が磁石を備えて、清掃具に磁性材料の分別機能を持たせたので、掃き掃除又は拭き掃除の過程で、磁性を有する金属質の材料を他の有機質の材料とを簡単に且つ短時間に分別することができる。
【発明を実施するための最良の形態】
【０００６】  本発明において、清掃具にごみに含まれる磁性材料の分別機能を持たせるために、清掃部材若しくは清掃部材保持具に、磁石を備えさせている。本発明において、磁石としては、磁性材料を吸引する機能を有するものを使用することができ、特に、フェライト磁石及び／又は希土類磁石を使用することができる。使用される磁石には、例えば、希土類磁石のＮｄＦｅＢ（ネオジウム・鉄・ホウ素）を使用するＮｄＦｅＢ系フレキシブル磁石、ＮｄＦｅＢ系等方性フレキシブル磁石、ＮｄＦｅＢ系圧縮成形磁石、ＮｄＦｅＢ系射出成形磁石、フェライト系ゴム磁石、フェライト系射出成形磁石又はボンド磁石等のフレキシブル磁石があり、またこれらの他に、ゴムとバリウムフェライト粉末練り合わせ、加硫後、着磁加工したマグネットラバー、又はプラスチック磁石がある。【０００７】  清掃具としては、一般に使用される柄付き又は柄付きでない清掃具がある。清掃具の清掃部材は、ブラシ、又は、ゴム製、スポンジ製又は布製の払拭掃除具とすることができる。ブラシの場合、ブラシの毛の一部を、磁石を含有する毛とすることができる。ゴム製、スポンジ製又は布製の払拭掃除具の場合は、払拭掃除具の一部に、磁石を含有させることができる。清掃部材保持具において、磁石は、掃き掃除又は拭き掃除の過程で、清掃される面に接しない程度で、近接する位置に設けられる。清掃具に設けられる磁石と清掃される面の間の間隔は、例えば、１乃至５０ｍｍに保たれるが、１乃至３０ｍｍとするのが好ましい。
【実施例】
【０００８】  以下、添付図面を参照して、本発明の実施の態様の例を説明するが、本発明は、以下の説明及び例示によって何等制限されるものではない。
図１は、本発明の一実施例のごみに含まれる磁性材料の分別機能を有する清掃具の概略を示す側面図である。図２は、図１に示した実施例と異なる本発明の他の一実施例のごみに含まれる磁性材料の分別機能を有する清掃具ブラシ部の概略を示す側面図である。図３は、図２に示した実施例のごみに含まれる磁性材料の分別機能を有する清掃具のブラシ保持部の概略を示す底面図である。図４は、図１及び図２に示した実施例と異なる本発明の他の一実施例のごみに含まれる磁性材料の分別機能を有する清掃具ブラシ部の概略を示す側面図である。図５は、図４に示した実施例のごみに含まれる磁性材料の分別機能を有する清掃具のブラシ保持部の概略を示す底面図である。図６は、図１、図２及び図４に示した実施例と異なる本発明の他の一実施例のごみに含まれる磁性材料の分別機能を有する清掃具ブラシ部の概略を示す側面図である。図７は、図６に示される実施例のごみに含まれる磁性材料の分別機能を有する清掃具のブラシ保持部の概略を示す底面図である。図８は、図１、図２、図４及び図８に示した実施例と異なる本発明の他の一実施例のごみに含まれる磁性材料の分別機能を有する清掃具ブラシ部の概略を示す側面図である。図１乃至図８において、共通する箇所には同一の符号が付されている。【０００９】例１
図１に示す実施例において、全体を符号１で示される清掃具は、柄２がプラスチック材料製のブラシ固定部材３の面４上に取付けられて形成されている。本例において、ブラシ固定部材３には、磁石５が、ブラシ固定部材３のプラスチック材料内にその全体がプラスチック材料に覆われて埋設されている。本例において、ブラシ固定部材３の下面４には、例えば、椰子、棕櫚又はプラスチック製のブラシの毛６が脱落しないように固設されている。
本例は以上のように構成されているので、通常の柄付き清掃具と同様に、床等を柄２を持って掃き掃除を行う。掃き掃除の過程で、例えば床に落ちている鉄等の磁性材料は磁石５により吸引され、ブラシ固定部材３の下面４に付着する。一般のごみは塵取り等に集められるが、鉄等の磁性材料は、ブラシ固定部材３の下面４に磁石５により吸引されて付着する。ブラシ固定部材３の下面４に磁石５により吸引されて付着する鉄等の磁性材料は、所定の容器（図示されていない）内に手で落として集める。本例においては、掃き掃除する過程で、鉄等の磁性材料の分別を行うことができる。本例において、ブラシの毛は、付着した磁性材料が取り外し易いように、鉄等の磁性材料の磁石の付着面の周囲に設けられる。【００１０】例２
図２及び図３に示す実施例において、清掃具１は、図１の例と同様に、柄２がプラスチック材料製のブラシ固定部材３の面４上に取付けられて形成されている。本例において、ブラシ固定部材３には、磁石５が、その一部がブラシ固定部材３の下面４から突き出て取付けられている。本例において、ブラシ固定部材３の下面４の磁石５の周囲には、ブラシの毛６が脱落しないように固設されている。ブラシの毛６の長さは、磁石５が清掃される床面に直接接しないように、磁石５の面より下に長く形成されている。
本例は以上のように構成されているので、図１の例と同様に、掃き掃除の過程で、例えば床に落ちている鉄等の磁性材料は磁石５により吸引されて付着する。一般のごみは塵取り等に集められるが、鉄等の磁性材料は、ブラシ固定部材３の磁石５により吸引されて磁石５の面に付着する。ブラシ固定部材３の磁石５の面５に付着する鉄等の磁性材料は、所定の容器（図示されていない）内に手で落として集める。本例においては、掃き掃除する過程で、鉄等の磁性材料の分別を行うことができる。【００１１】例３
図４及び図５に示す実施例において、清掃具１は、図１及び図２の例と同様に、柄２がプラスチック材料製のブラシ固定部材３の面４上に取付けられて形成されている。本例において、ブラシ固定部材３には、その外部側面７に磁石５が間隔を置いて複数個取付けられている。本例において、ブラシ固定部材３の下面４にはブラシの毛６が脱落しないように固設されている。
本例は以上のように構成されているので、図１及び図２の例と同様に、掃き掃除の過程で、例えば床に落ちている鉄等の磁性材料は磁石５により吸引されて付着する。本例において、磁性材料の付着は磁石の間ににおいても十分に認められた。一般のごみは塵取り等に集められるが、鉄等の磁性材料は、ブラシ固定部材３の外部側面の磁石５により吸引されて磁石５の面に付着する。ブラシ固定部材３の磁石５の面に付着する鉄等の磁性材料は、所定の容器（図示されていない）内に手で落として集める。本例においては、掃き掃除する過程で、鉄等の磁性材料の分別を行うことができる。【００１２】例４
図６及び図７に示す実施例において、清掃具１は、図１及び図２の例と同様に、柄２がプラスチック材料製のブラシ固定部材３の面４上に取付けられて形成されている。本例において、ブラシ固定部材３には、その外部側面７に一個の棒状の磁石５が取付けられている。本例において、ブラシ固定部材３の下面４にはブラシの毛６が脱落しないように固設されている。
本例は以上のように構成されているので、図１の例と同様に、掃き掃除の過程で、例えば床に落ちている鉄等の磁性材料は磁石５により吸引されて付着する。一般のごみは塵取り等に集められるが、鉄等の磁性材料は、ブラシ固定部材３の外部側面の磁石５により吸引されて磁石５の面に付着する。ブラシ固定部材３の磁石５の面に付着する鉄等の磁性材料は、所定の容器（図示されていない）内に手で落として集める。本例においては、掃き掃除する過程で、鉄等の磁性材料の分別を行うことができる。【００１３】例５
図８に示す実施例において、清掃具１は、図１、図２、図４及び図６の例と同様に、柄２がプラスチック材料製の箒穂固定部材８に取付けられて形成されている。本例において、箒穂固定部材８の下部に設けられる箒穂保持部材９の箒穂のブラシ６の内側に、複数の棒状の磁石５が垂直方向に取付けられている。本例において、箒穂固定部材３にはブラシ６が脱落しないように固定されている。
本例は以上のように構成されているので、図１、図２、図４及び図６の例と同様に、掃き掃除の過程で、箒穂のブラシ６が曲がり、磁石５が掃除される床面に近接して、該床面に落ちている鉄等の磁性材料を磁石５により吸引して付着する。一般のごみは塵取り等に集められるが、鉄等の磁性材料は、箒穂保持部材９の箒穂のブラシ６の内側の磁石５により吸引されて磁石５の面に付着する。箒穂保持部材９の磁石５の面に付着する鉄等の磁性材料は、所定の容器（図示されていない）内に手で落として集める。本例においては、掃き掃除する過程で、鉄等の磁性材料の分別を行うことができる
【産業上の利用可能性】
【００１４】    本発明は、清掃部材と該清掃部材を保持する清掃部材保持具と、清掃部材保持具に連結する柄とを備える清掃具において、清掃部材若しくは清掃部材保持具が磁石を備えて、清掃具に磁性材料の分別機能を持たせたので、掃き掃除又は拭き掃除の過程で、磁性を有する金属質の材料が他の有機質の材料とを簡単に且つ短時間に分別されることとなり、分別の労をなくすことができ、産業上に資するところが大きい。
【図面の簡単な説明】
【００１５】
【図１】  本発明の一実施例のごみに含まれる磁性材料の分別機能を有する清掃具の概略を示す側面図である。
【図２】  図１に示した実施例と異なる本発明の他の一実施例のごみに含まれる磁性材料の分別機能を有する清掃具ブラシ部の概略を示す側面図である。
【図３】  図２に示した実施例のごみに含まれる磁性材料の分別機能を有する清掃具のブラシ保持部の概略を示す底面図である。
【図４】  図１及び図２に示した実施例と異なる本発明の他の一実施例のごみに含まれる磁性材料の分別機能を有する清掃具ブラシ部の概略を示す側面図である。
【図５】  図４に示した実施例のごみに含まれる磁性材料の分別機能を有する清掃具のブラシ保持部の概略を示す底面図である。
【図６】  図１、図２及び図４に示した実施例と異なる本発明の他の一実施例のごみに含まれる磁性材料の分別機能を有する清掃具ブラシ部の概略を示す側面図である。
【図７】  図６に示される実施例のごみに含まれる磁性材料の分別機能を有する清掃具のブラシ保持部の概略を示す底面図である。
【図８】  図１、図２、図４及び図８に示した実施例と異なる本発明の他の一実施例のごみに含まれる磁性材料の分別機能を有する清掃具ブラシ部の概略を示す側面図である
【符号の説明】
【００１６】  １  清掃具
２  柄
３  ブラシ固定部材
４  ブラシ固定部材３の面
５  磁石
６  ブラシ
７  ブラシ固定部材３の外部側面
８  箒穂固定部材
９  箒穂保持部材
【図１】
2007181502.tif 000003
【図２】
2007181502.tif 000004
【図３】
2007181502.tif 000005
【図４】
2007181502.tif 000006
【図５】
2007181502.tif 000007
【図６】
2007181502.tif 000008
【図７】
2007181502.tif 000009
【図８】
2007181502.tif 000010
【手続補正書】
【提出日】平成18年1月5日(2006.1.5)
【手続補正１】
【補正対象書類名】特許請求の範囲
【補正対象項目名】全文
【補正方法】変更
【補正の内容】
【特許請求の範囲】
【請求項１】
清掃部材若しくは清掃部材保持具が磁石を備えていることを特徴とするごみに含まれる磁性材料の分別機能を有する清掃具。
【請求項２】
清掃部材と該清掃部材を保持する清掃部材保持具と、清掃部材保持具に連結する柄とを備える清掃具において、清掃部材若しくは清掃部材保持具が磁石を備えていることを特徴とするごみに含まれる磁性材料の分別機能を有する清掃具。
【請求項３】
清掃部材が、ブラシであることを特徴とする請求項１又は２に記載のごみに含まれる磁性材料の分別機能を有する清掃具。
【請求項４】
清掃部材が、ゴム製、スポンジ製又は布製の払拭掃除具であることを特徴とする請求項１乃至３の何れか一項に記載のごみに含まれる磁性材料の分別機能を有する清掃具。
【請求項５】
清掃部材保持具が、透磁性材料製のものであることを特徴とする請求項１又は２に記載のごみに含まれる磁性材料の分別機能を有する清掃具。
【請求項６】
ブラシの毛が磁石粒子を含有して形成されていることを特徴とする請求項３に記載のごみに含まれる磁性材料の分別機能を有する清掃具。
【請求項７】
ブラシと、該ブラシを保持するブラシ保持具とを備える清掃具において、透磁性のブラシ保持具に磁石が保持されていることを特徴とするごみに含まれる磁性材料の分別機能を有する清掃具。
【請求項８】
ブラシと、該ブラシを保持するブラシ保持具と、ブラシ保持具に連結する柄とを備える清掃具において、透磁性のブラシ保持具に磁石が設けられていることを特徴とするごみに含まれる磁性材料の分別機能を有する清掃具。
【請求項９】
磁石がブラシに囲まれてブラシ保持具に設けられていることを特徴とする請求項１、２、７又は８に記載のごみに含まれる磁性材料の分別機能を有する清掃具。
【請求項１０】
磁石が透磁性のブラシ保持具の側部に設けられていることを特徴とする請求項１、２、７又は８に記載のごみに含まれる磁性材料の分別機能を有する清掃具。
【請求項１１】
磁石は、掃除される面から１乃至５０ｍｍ離れて設けられることを特徴とする請求項１、２、７又は８に記載のごみに含まれる磁性材料の分別機能を有する清掃具。